【事件の表示】
　特願２０１５−２３６２５５「タンデム印刷システム及び印刷制御方法並びに印刷制御プログラム」拒絶査定不服審判事件〔平成２９年６月８日出願公開、特開２０１７−１００３８９〕について、次のとおり審決する。
【結　論】
　本件審判の請求は、成り立たない。
【理　由】
１　手続の経緯
　本願は、平成２７年１２月３日の出願であって、平成３１年４月１９日付けで拒絶の理由が通知され、令和１年７月５日に意見書及び手続補正書が提出されたところ、同年１１月２９日付けで拒絶査定がなされ、それに対して、令和２年３月３日に拒絶査定不服審判の請求がなされると同時に手続補正がなされたものである。
２　審判請求時の補正について
（１）補正の内容
　令和２年３月３日に審判の請求と同時になされた補正（以下「本件補正」という。）は、本件補正前の令和１年７月５日に提出された手続補正書により補正された特許請求の範囲の請求項１、６及び１１並びに明細書の段落【０００９】、【００１０】及び【００１１】のそれぞれに記載された「前記ラスタデータを奇数の第１種ページのラスタデータと偶数の第２種ページのラスタデータとに分類し、」を、「前記ラスタデータを奇数
番目
番目
（２）補正の適否
ア　請求項１、６及び１１に係る補正
　補正前の請求項１、６及び１１に記載された発明特定事項である「前記ラスタデータを奇数の第１種ページのラスタデータと偶数の第２種ページのラスタデータとに分類し、」との記載を、「前記ラスタデータを奇数
番目
番目
　したがって、請求項１、６及び１１に係る補正は、特許法第１７条の２第５項第４号に掲げる明りようでない記載の釈明を目的とするものということができる。
　また、請求項１、６及び１１に係る補正は、本願の願書の最初に添付した明細書の段落【００３３】等の記載に基づいており、新規事項を追加するものではないから、特許法第１７条の２第３項に規定する要件を満たす。
イ　明細書の段落【０００９】、【００１０】及び【００１１】に係る補正
　明細書の段落【０００９】、【００１０】及び【００１１】に係る補正は、上記アと同様に、本願の願書の最初に添付した明細書の記載に基づいており、新規事項を追加するものではないから、特許法第１７条の２第３項に規定する要件を満たす。
ウ　以上、本件補正は、特許法第１７条の２第３項及び第５項の要件を満たす適法な補正である。
３　本願発明
　本願の請求項１ないし１５に係る発明は、本件補正により補正された特許請求の範囲の請求項１ないし１５に記載された事項により特定されるとおりのものと認められるところ、請求項１に係る発明（以下「本願発明」という。）は、次のとおりである。
「【請求項１】
　用紙の一方の面に印刷する第１印刷エンジンと、前記用紙の他方の面に印刷し、前記用紙の表裏を反転して出力可能な第２印刷エンジンと、前記第１印刷エンジン及び前記第２印刷エンジンを制御する制御装置と、を含むタンデム印刷システムであって、
　印刷データに基づく初回印刷時には、
　前記制御装置は、受信した印刷データを解析してページ構成を取得すると共に前記印刷データをラスタライズして各ページのラスタデータを生成し、前記ラスタデータを奇数番目の第１種ページのラスタデータと偶数番目の第２種ページのラスタデータとに分類し、前記第１印刷エンジンに前記第１種ページのラスタデータを送信して印刷を指示し、前記第２印刷エンジンに前記第２種ページのラスタデータを送信して印刷を指示し、
　前記第１印刷エンジンは、受信した前記第１種ページのラスタデータに基づいて、用紙の一方の面に前記第１種ページを印刷すると共に、前記第１種ページのラスタデータを保持し、
　前記第２印刷エンジンは、受信した前記第２種ページのラスタデータに基づいて、前記用紙の他方の面に前記第２種ページを印刷すると共に、前記第２種ページのラスタデータを保持し、
　ページ編集後の前記印刷データに基づく再印刷時には、
　前記制御装置は、前記初回印刷時のページ構成と前記ページ編集後のページ構成とを比較して、前記用紙の一方の面が前記第２種ページ及び／又は前記用紙の他方の面が前記第１種ページになる反転排紙対象の用紙を判定し、前記第１印刷エンジンに再印刷を指示し、前記第２印刷エンジンに再印刷を指示すると共に前記反転排紙対象の用紙の表裏反転を指示し、
　前記第１印刷エンジンは、前記初回印刷時に保持した前記第１種ページのラスタデータに基づいて、用紙の一方の面に前記第１種ページを印刷し、
　前記第２印刷エンジンは、前記初回印刷時に保持した前記第２種ページのラスタデータに基づいて、前記用紙の他方の面に前記第２種ページを印刷すると共に、前記反転排紙対象の用紙は、用紙の表裏を反転して排紙する、
　ことを特徴とするタンデム印刷システム。」
　ここで、請求項１の「前記初回印刷時のページ構成と前記ページ編集後のページ構成とを比較して、前記用紙の一方の面が前記第２種ページ及び／又は前記用紙の他方の面が前記第１種ページになる反転排紙対象の用紙を判定」するとは、両ページ構成をどのように比較して、どのように判定するものなのか、必ずしも明らかでないことから、以下、検討するに、これに関して発明の詳細な説明には以下の記載がある（下線は当審で付与した。）。
「【００６４】
　以下、再印刷時の印刷制御の具体例を示す。図１２（ａ）は、５ページのラスタデータを印刷及び保存する場合の例を示しており、
初回印刷時は、第１画像形成装置３０（上流機）で奇数ページが印刷され
第２画像形成装置４０（下流機）で偶数ページが印刷され
【００６５】
　ここで、図１２（ｂ）に示すように、偶数ページ（ここでは
第２ページ
と
第３ページ
の間に
１ページの白紙
を挿入するページ編集が行われた後に再印刷が指示された場合
白紙挿入箇所より後のページの奇数／偶数が入れ替わり
上流機では第４ページの印刷が指示され
下流機では第３ページ及び第５ページの印刷が指示される
【００６６】
　
そこで
上流機では奇数ページを印刷し、下流機では偶数ページを印刷し、両面印刷後に用紙を反転して表裏を入れ替える
　発明の詳細な説明の上記記載を参酌すれば、請求項１の「前記初回印刷時のページ構成と前記ページ編集後のページ構成とを比較して、前記用紙の一方の面が前記第２種ページ及び／又は前記用紙の他方の面が前記第１種ページになる反転排紙対象の用紙を判定」するとは、「ページ編集後のページ構成」において、「用紙の一方の面が」初回印刷時のページ構成における「偶数番目の」「第２種ページ」になる「及び／又は」「用紙の他方の面が」初回印刷時のページ構成における「奇数番目の」「第１種ページになる」用紙を、「反転排紙対象の用紙」と「判定」することを意味するものと解する。
　なお、請求項１の「前記用紙の一方の面が前記第２種ページ及び／又は前記用紙の他方の面が前記第１種ページになる」とは、「反転対象の用紙を判定」するために用いる「ページ編集後のページ構成」であって、このページ構成のまま印刷するのではなく、「反転排紙対象の用紙を判定」した後の印刷時には、「第１印刷エンジン」が「用紙の一方の面に」「第１種ページを印刷し」、「第２印刷エンジン」が「用紙の他方の面に」「第２種ページを印刷すると共に」「反転排紙対象の用紙は、用紙の表裏を反転して排紙する」ものである。
４　原査定の拒絶の理由
　原査定の理由のうち、請求項１の進歩性に係る拒絶の理由の概要は、以下のとおりである。
　この出願の請求項１に係る発明は、その出願前に日本国内又は外国において、頒布された以下の刊行物に記載された発明に基づいて、その出願前にその発明の属する技術の分野における通常の知識を有する者が容易に発明をすることができたものであるから、特許法第２９条第２項の規定により特許を受けることができない。
・特開２０１２−１０１４７７号公報（以下「引用文献」という。）
　
５　引用文献の記載
　引用文献には、図面と共に次の事項が記載されている（下線は当審で付した。）。
ア　「【発明が解決しようとする課題】
・・・
【０００９】
　図１３（ａ）では頁順にＡ，Ｂ，Ｃ，Ｄ，Ｅ，Ｆ，Ｇ，…という画像データが存在している場合に、図１３（ｂ）に示すように、前段の画像形成装置１０では記憶部１５に、Ａ，Ｃ，Ｅ，Ｇ，…という奇数頁を記憶しておき、後段の画像形成装置２０では記憶部２５に、Ｂ，Ｄ，Ｆ，…という偶数頁を記憶しておくことで、タンデム画像形成の際に無駄のない画像データの記憶を実現できる。
【００１０】
　ところで、このような状態において、図１３（ｃ）に示すように、ＡとＢとの間にＸという画像データが追加され、頁順にＡ，Ｘ，Ｂ，Ｃ，Ｄ，Ｅ，Ｆ，Ｇ，…という画像データになった場合には、図１３（ｄ）に示すように、前段の画像形成装置１０では記憶部１５に、Ａ，Ｂ，Ｄ，Ｆ，…という奇数頁を記憶し、後段の画像形成装置２０では記憶部２５に、Ｘ，Ｃ，Ｅ，Ｇ，…という偶数頁を記憶する必要が生じる。
【００１１】
　すなわち、Ｘの追加に伴い、それ以降の全ての頁の画像データを互いに入れ替える必要が生じる。この場合、記憶部１５と記憶部２５との間でＸ以降の頁の画像データを転送して互いに入れ替えるか、あるいは、外部からＸ以降の頁の画像データを全て送信しなおす必要が生じる。
【００１２】
　なお、このような大量の画像データの入れ替えは、奇数頁数分の画像データの追加や、奇数頁数分の画像データの削除によって発生する。
【００１３】
　このように、頁（画像データ）の追加や削除に伴って大量の画像データの入れ替えが発生することは、画像形成の開始を遅らせることになり、また、通信トラフィックの観点から望ましくない。
【００１４】
　本発明はこのような課題に鑑みてなされたものであって、記録紙の表裏を分担して画像形成することが可能に複数の画像形成装置が直列に接続された状態において、各画像形成装置が担当頁の画像データを記憶しつつ、頁の追加や削除が発生した場合でも画像データの転送を最小限に抑えることが可能な画像形成システムを実現することを目的とする。
【課題を解決するための手段】
【００１５】
　すなわち、前記した課題を解決する本発明は、以下の通りである。
【００１６】
　（１）第１の発明は、
記録紙の表裏を分担して画像形成することが可能に複数の画像形成装置が直列に接続された画像形成システムであって、前記画像形成装置は、画像形成を担当する頁の画像データを記憶する記憶部と、前記記憶部に記憶した前記画像データを用いて画像形成を制御する制御部と、を備え、前記制御部は、画像形成する頁の追加もしくは削除があった場合には、前記追加された頁もしくはその隣接頁、あるいは前記削除された隣接頁の最大１頁の画像データを複数の画像形成装置間で移動すると共に、各画像形成装置における表裏の担当を変更する、ことを特徴とする画像形成システム
・・・
【００１９】
　（４）第４の発明は、上記（１）−（３）において、
表裏の画像形成がされた後の記録紙を反転させる反転装置を備え、前記制御部は、前記各画像形成装置における表裏の担当を変更する場合には、表裏の画像形成がされた後の前記記録紙について、前記反転装置の使用の有無を逆に切り替えるよう制御する
イ　「【図面の簡単な説明】
・・・
【図１３】
タンデム画像形成システム
ウ　「【発明を実施するための形態】
・・・
【００３１】
　ここでは、
記録紙の表裏を分担して画像形成することが可能に複数の画像形成装置が直列にタンデム接続された画像形成システム
【００３３】
　ここでは、画像形成される記録紙を供給する給紙装置５０、給紙装置５０からの
記録紙の表裏を分担して画像形成する画像形成装置１００、画像形成装置１００で画像形成された記録紙に対して反転などの中処理を行ってから後段の画像形成装置３００に供給する中処理装置２００、中処理装置２００からの記録紙の表裏を分担して画像形成する画像形成装置３００、画像形成装置１００，３００で画像形成された記録紙に各種後処理
を施す後処理装置４００、が記録紙の流れに沿って直列接続されている
【００３４】
　すなわち、画像形成装置１００，３００は、図２に示されるように、記録紙の流れに沿って直列接続されており、
前段の画像形成装置１００
後段の画像形成装置３００
【００４０】
　
画像形成装置１００は、画像形成装置１００内の各部を制御すると共に画像形成システムとしてシステム全体を制御する制御部１０１と、接続されている他の装置と通信するための通信部１０２と、利用者による操作入力
を行う操作表示部１０５と、画像形成する際の画像データや各種データを記憶する記憶部１３０と、画像形成に必要な各種画像処理を実行する画像処理部１４０と、画像形成命令と画像データとに基づいて画像形成を実行する画像形成部１５０と、を備えて構成されている
・・・
【００４２】
　
画像形成装置３００は、画像形成装置３００内の各部を制御する制御部３０１と、接続されている他の装置と通信するための通信部３０２と、利用者による操作入力
を行う操作表示部３０５と、画像形成する際の画像データや各種データを記憶する記憶部３３０と、画像形成に必要な各種画像処理を実行する画像処理部３４０と、画像形成命令と画像データとに基づいて画像形成を実行する画像形成部３５０と、を備えて構成されている
・・・
【００４４】
　以下、本実施形態の画像形成システムにおける記録紙の両面に画像形成する際の画像形成モードについて説明する。なお、この実施形態では、記録紙において頁順で先になる第一面の画像を表面記録紙において頁順で後になる第二面の画像を裏面と呼ぶことにする。
【００４５】
　この場合、図３（ａ）のように、
前段の画像形成装置１００で記録紙に対して表面の画像を先に形成し、その記録紙を中処理装置２００で反転し、更に、後段の画像形成装置３００で記録紙に対して裏面の画像を形成することで、表面の画像が下向きになるフェイスダウンとして記録紙が出力される
画像形成モード
モード１
【００４６】
　また、この場合、図３（ｂ）のように、
前段の画像形成装置１００で記録紙に対して裏面の画像を先に形成し、その記録紙を中処理装置２００で反転し、更に、後段の画像形成装置３００で記録紙に対して表面の画像を形成し、その記録紙を後処理装置４００で反転することでも、表面の画像が下向きになるフェイスダウンとして記録紙が出力される
画像形成モード
モード２
【００４７】
　なお、モード１もモード２もフェイスダウンで共通するが、後処理での反転が不要となるモード１をフェイスダウンの標準モードとして使用することが望ましい。
【００４８】
　また、この場合、図３（ｃ）のように、
前段の画像形成装置１００で記録紙に対して裏面の画像を先に形成し、その記録紙を中処理装置２００で反転し、更に、後段の画像形成装置３００で記録紙に対して表面の画像を形成することで、表面の画像が上向きになるフェイスアップとして記録紙が出力される
画像形成モード
モード３
【００４９】
　また、この場合、図３（ｄ）のように、
前段の画像形成装置１００で記録紙に対して表面の画像を先に形成し、その記録紙を中処理装置２００で反転し、更に、後段の画像形成装置３００で記録紙に対して裏面の画像を形成し、その記録紙を後処理装置４００で反転することでも、表面の画像が上向きになるフェイスアップとして記録紙が出力される
画像形成モード
モード４
【００５０】
　なお、モード３もモード４もフェイスアップで共通するが、後処理での反転が不要となるモード３をフェイスアップの標準モードとして使用することが望ましい。
【００５１】
　なお、以上の画像形成モードが後述する「モード情報」として扱われる。すなわち、モード情報は、どちらの画像形成装置が表／裏を担当し、どのように反転処理をして、フェイスアップ／ダウンで出力するかを意味している。
【００５２】
〈画像形成システムの動作〉
　以下、図４と図５のフローチャート、図６以降のジョブテーブル説明図を参照して画像形成システムの第一実施形態の動作説明を行う。
【００５３】
　なお、以下の説明では、
画像形成装置１００と画像形成装置３００とが担当する頁の画像データを保持している状態における頁編集
【００５４】
　また、以下の具体例では、
画像形成装置１００の操作者が操作表示部１０５から頁編集に関する各種操作を行うものとするが、画像形成装置３００の操作者が操作表示部３０５から頁編集に関する各種操作を行うことも可能である
画像形成装置１００の制御部１０１が、画像形成システム全体を制御するものとするが、
画像形成装置３００の制御部３０１が、画像形成システム全体を制御する
ことも可能である
【００５５】
　また、以下の具体例では、装置情報において、
前段の画像形成装置１００を装置１、後段の画像形成装置３００を装置２と称する
【００５６】
　まず、
画像形成装置１００と画像形成装置３００とが担当頁の画像データをそれぞれの記憶部に記憶した状態で
【００５７】
　ここでは、
Ａ，Ｂ，Ｃ，Ｄ，Ｅ，Ｆの６つの「画像データ」のそれぞれについて、１頁，２頁，３頁，４頁，５頁，６頁目に画像形成されることを示す「頁情報」と、装置１，装置２，装置１，装置２，装置１，装置２が画像形成を担当し画像データを保持することを示す「装置情報」と、モード１，モード１，モード１，モード１，モード１，モード１の画像形成モード
で画像形成を実行することを示す「モード情報」が対応付けられて、全体で「ジョブデータ」を構成している
【００５８】
　また、この図６は、図示されていないが、
画像形成出力設定がフェイスダウンの設定である場合を想定している
図７以降も同様にフェイスダウンであるものとする
【００５９】
　この状態において、
操作者が操作表示部１０５から、頁追加あるいは頁削除といった頁編集の操作を行う
【００６０】
　ここで、
制御部１０１は操作表示部１０５から頁編集の要求を受け付ける（
Ｓ１０１でＹＥＳ）
頁編集情報を取得する（
Ｓ１０２）
【００６１】
　そして、
制御部１０１は頁編集情報の要求が頁追加要求であるか頁削除要求であるかを判断する（
Ｓ１０３）
【００６２】
　頁追加要求であれば（
Ｓ１０３でＹＥＳ）
制御部１０１は、要求された画像データを要求された頁位置に追加する（
Ｓ１０４）
たとえば、画像データＸを２頁目に追加する要求が
なされた場合
制御部１０１は、画像データＸをジョブテーブルの２頁目に追加する
【００６３】
　この時点では、
頁追加要求により追加された頁の装置情報について、追加の要求がなされた画像形成装置の番号が付される（
Ｓ１０５）
画像データＸについて、装置１と情報が入力される
【００６４】
　一方、
頁削除要求であれば（
Ｓ１０３でＮＯ）
制御部１０１は、要求された頁の画像データを削除する（
Ｓ１０６）
【００６５】
　また、
制御部１０１は
頁追加あるいは頁削除に連動して、頁情報を修正する（
Ｓ１０７）
制御部１０１は、画像データＢ〜Ｆについての頁情報の２頁〜６頁であった部分
を、３頁〜７頁に修正する
【００６６】
　そして、
制御部１０１は、頁追加についての頁情報の修正と装置情報の入力、あるいは、頁削除についての頁情報の削除に関して、頁編集要求のあったもの全てについて完了しているかを調べ（
Ｓ１０８）
編集残があれば（
Ｓ１０８でＹＥＳ）以上の処理を繰り返す
【００６７】
　制御部１０１は、頁追加についての頁情報の修正と装置情報の入力と、頁削除についての頁情報の削除とを、頁編集要求のあったもの全てについて完了した場合には（
Ｓ１０８でＮＯ）
装置情報の修正とモード情報の修正（
Ｓ１０９）を実行する
【００６８】
　以下、各画像形成装置が担当頁の画像データを記憶しつつ頁の追加や削除が発生した場合でも画像データの転送を最小限に抑えることを可能にすべく、
装置情報の修正とモード情報の修正を実行（
Ｓ１０９）することについて
【００６９】
　まず
、制御部１０１は、ジョブ全体として画像形成する頁が２頁以上存在するかを確認する（
Ｓ２０１）
２頁以上存在していなければ（
Ｓ２０１でＮＯ）
終了する
【００７０】
　ここで、
２頁以上存在していれば（
Ｓ２０１でＹＥＳ）
制御部１０１は、現在の処理頁番号を示すパラメタであるＮを初期値として１に設定する（
Ｓ２０２）
【００７１】
　そして、
制御部１０１は、ジョブテーブル中のＮ頁とＮ＋１頁との装置情報を参照し、装置情報が同一になっているか否かを確認する（
Ｓ２０３）
【００７２】
　そこで、制御部１０１は、
ジョブテーブル中のＮ頁とＮ＋１頁との装置情報が異なっていれば（
Ｓ２０３でＮＯ）そのまま次の処理に進み、ジョブテーブル中のＮ頁とＮ＋１頁との装置情報が同一になっていれば（
Ｓ２０３でＹＥＳ）、Ｎ頁もしくはＮ＋１頁のいずれか一方の装置情報を変更する（
Ｓ２０４）
【００７３】
　画像データＸを２頁目に追加した図７の具体例では、Ｎ頁の画像データＡとＮ＋１頁の画像データＸとが共に装置１と設定されているため、図８に示すごとくＮ頁の画像データＡについて装置情報を１から２に変更するか、図９に示すごとくＮ＋１頁の画像データＸについて装置情報を１から２に変更する。なお、
画像データＸが画像形成装置３００から入力された場合には、画像データＸの装置情報は当初から装置２と設定されて
変更は不要になる
・・・
【００７５】
　次に、
制御部１０１は、画像形成出力設定がフェイスダウンであるかフェイスアップであるかを確認し（
Ｓ２０５）、フェイスダウンである場合（
Ｓ２０５でＹＥＳ）、Ｎ頁が装置１かつＮ＋１頁が装置２であるかを判断する（
Ｓ２０６）
ここで、Ｎ頁が装置１であり、Ｎ＋１頁が装置２であれば（
Ｓ２０６でＹＥＳ）
モード情報をモード１に設定する（
Ｓ２０７）
また、Ｎ頁が装置２であり、Ｎ＋１頁が装置１であれば（
Ｓ２０６でＮＯ）
モード情報をモード２に設定する（
Ｓ２０８）
【００７６】
　一方、制御部１０１は、画像形成出力設定がフェイスダウンであるかフェイスアップであるかを確認し（
Ｓ２０５）、フェイスアップである場合（
Ｓ２０５でＮＯ）、Ｎ頁が装置１かつＮ＋１頁が装置２であるかを判断する（
Ｓ２０９）
ここで、Ｎ頁が装置１であり、Ｎ＋１頁が装置２であれば（
Ｓ２０９でＹＥＳ）
モード情報をモード４に設定する（
Ｓ２１１）
また、Ｎ頁が装置２であり、Ｎ＋１頁が装置１であれば（
Ｓ２０９でＮＯ）
モード情報をモード３に設定する（
Ｓ２１０）
【００７７】
　図８の画像データＡと画像データＸの具体例の場合には、フェイスダウンの画像形成出力設定であって、Ｎ頁が装置２であり、Ｎ＋１頁が装置１であり（図５中のステップＳ２０６でＮＯ）、図３（ｂ）相当の状態であるため、モード情報をモード２に設定する（図５中のステップＳ２０８）。
図９の画像データＡと画像データＸの具体例の場合には、Ｎ頁が装置１であり、Ｎ＋１頁が装置２であり
Ｓ２０６でＹＥＳ
モード情報をモード１に設定する（
Ｓ２０７）
・・・
【００７９】
　そして、制御部１０１は、
以上のステップＳ２０２〜Ｓ２１１の処理を、次頁がある限り（
Ｓ２１２でＹＥＳ）、現在の処理頁番号を示すパラメタＮに２を加えて（
２１３）２頁毎に処理を繰り返し、次頁がなくなれば（
Ｓ２１２でＮＯ）
処理を終了し
【００８０】
　図８と
図９の画像データＢと画像データＣ、およびそれ以降の場合には、フェイスダウンの画像形成出力設定であって、Ｎ頁が装置２であり、Ｎ＋１頁が装置１であり（
Ｓ２０３でＮＯ
装置情報変更不要
Ｓ２０５でＹＥＳ（フェイスダウン）、Ｓ２０６でＮＯ）
モード情報をモード２に設定する（
Ｓ２０８）
・・・
【００８２】
　
以上のようにして、装置情報の修正とモード情報の修正（
Ｓ１０９
）を終了すると、制御部１０１は、装置情報の修正（
Ｓ２０４）に従って移動が必要になる画像データについて画像形成装置間で移動を行う（
Ｓ１１０）
【００８３】
　図８の場合には、画像データＡについて装置情報を装置１から装置２に変更しているため、制御部１０１は、画像データＡを画像形成装置１００の記憶部１３０から画像形成装置３００の記憶部３３０に移動するよう制御する。また、図９の場合には、画像データＸについて装置情報を装置１から装置２に変更しているため、制御部１０１は、画像データＡを画像形成装置１００の記憶部１３０から画像形成装置３００の記憶部３３０に移動するよう制御する。なお、
画像データＸが画像形成装置３００から入力されて元々装置２である場合にはデータ移動は不要である
（認定事項１）
　上記段落【００３３】の「記録紙の表裏を分担して画像形成する画像形成装置１００、画像形成装置１００で画像形成された記録紙に対して反転などの中処理を行ってから後段の画像形成装置３００に供給する中処理装置２００、中処理装置２００からの記録紙の表裏を分担して画像形成する画像形成装置３００、画像形成装置１００，３００で画像形成された記録紙に各種後処理・・・を施す後処理装置４００、が記録紙の流れに沿って直列接続されている」との記載から、画像形成装置１００は記録紙の表裏の一方を分担して画像形成するものであり、画像形成装置３００は記録紙の表裏の他方を分担して画像形成するものであるといえる。
（認定事項２）
　上記段落【００５４】の記載から、画像形成装置１００の操作表示部１０５から頁編集に関する各種操作を行い、画像形成装置１００の制御部１０１が、画像形成システム全体を制御するものに代えて、画像形成装置３００の操作表示部３０５から頁編集に関する各種操作を行い、画像形成装置３００の制御部３０１が、画像形成システム全体を制御するものが引用文献に記載されていると認められる。
（認定事項３）
　上記段落【００６３】及び【００８３】の記載から、画像データＸが画像形成装置３００から入力される場合には、追加の要求がなされた画像形成装置３００の番号が付され、２頁目の画像データＸについて、装置２と情報が入力されるものと認められる。
　以上の記載事項及び認定事項から、引用文献には、以下の発明（以下、「引用発明」という。）が記載されていると認められる。
「記録紙の表裏の一方に画像形成する画像形成装置１００、画像形成装置１００で画像形成された記録紙に対して反転などの中処理を行ってから後段の画像形成装置３００に供給する中処理装置２００、中処理装置２００からの記録紙の表裏の他方に画像形成する画像形成装置３００、画像形成装置１００，３００で画像形成された記録紙に各種後処理を施す後処理装置４００、が記録紙の流れに沿って直列接続されているタンデム画像形成システムであって、
　画像形成装置１００は、画像形成装置１００内の各部を制御する制御部１０１と、接続されている他の装置と通信するための通信部１０２と、利用者による操作入力を行う操作表示部１０５と、画像形成する際の画像データや各種データを記憶する記憶部１３０と、画像形成に必要な各種画像処理を実行する画像処理部１４０と、画像形成命令と画像データとに基づいて画像形成を実行する画像形成部１５０と、を備え、
　画像形成装置３００は、画像形成装置３００内の各部を制御すると共に画像形成システムとしてシステム全体を制御する制御部３０１と、接続されている他の装置と通信するための通信部３０２と、利用者による操作入力を行う操作表示部３０５と、画像形成する際の画像データや各種データを記憶する記憶部３３０と、画像形成に必要な各種画像処理を実行する画像処理部３４０と、画像形成命令と画像データとに基づいて画像形成を実行する画像形成部３５０と、を備え、
　モード１は、前段の画像形成装置１００で記録紙に対して表面の画像を先に形成し、その記録紙を中処理装置２００で反転し、更に、後段の画像形成装置３００で記録紙に対して裏面の画像を形成することで、表面の画像が下向きになるフェイスダウンとして記録紙が出力される画像形成モードであり、
　モード２は、前段の画像形成装置１００で記録紙に対して裏面の画像を先に形成し、その記録紙を中処理装置２００で反転し、更に、後段の画像形成装置３００で記録紙に対して表面の画像を形成し、その記録紙を後処理装置４００で反転することで、表面の画像が下向きになるフェイスダウンとして記録紙が出力される画像形成モードであり、
　モード３は、前段の画像形成装置１００で記録紙に対して裏面の画像を先に形成し、その記録紙を中処理装置２００で反転し、更に、後段の画像形成装置３００で記録紙に対して表面の画像を形成することで、表面の画像が上向きになるフェイスアップとして記録紙が出力され、最終頁から第１頁に向かって画像形成を実行する画像形成モードであり、
　モード４は、前段の画像形成装置１００で記録紙に対して表面の画像を先に形成し、その記録紙を中処理装置２００で反転し、更に、後段の画像形成装置３００で記録紙に対して裏面の画像を形成し、その記録紙を後処理装置４００で反転することで、表面の画像が上向きになるフェイスアップとして記録紙が出力され、最終頁から第１頁に向かって画像形成を実行する画像形成モードであり、
　画像形成装置１００と画像形成装置３００とが担当頁の画像データをそれぞれの記憶部に記憶した状態で、操作者が操作表示部３０５から、頁追加あるいは頁削除といった頁編集の操作を行うと、
　制御部３０１は、
　　操作表示部３０５から頁編集の要求を受け付け（Ｓ１０１でＹＥＳ）、頁編集情報を取得し（Ｓ１０２）、
　　頁編集情報の要求が頁追加要求であるか頁削除要求であるかを判断し（Ｓ１０３）、
　　頁追加要求であれば（Ｓ１０３でＹＥＳ）、要求された画像データを要求された頁位置に追加し（Ｓ１０４）、
　　頁追加要求により追加された頁の装置情報について、前段の画像形成装置１００を装置１、後段の画像形成装置３００を装置２として、追加の要求がなされた画像形成装置の番号が付され（Ｓ１０５）、
　　頁削除要求であれば（Ｓ１０３でＮＯ）、要求された頁の画像データを削除し（Ｓ１０６）、
　　頁追加あるいは頁削除に連動して、頁情報を修正し（Ｓ１０７）、
　　頁追加についての頁情報の修正と装置情報の入力、あるいは、頁削除についての頁情報の削除に関して、頁編集要求のあったもの全てについて完了しているかを調べ（Ｓ１０８）、編集残があれば（Ｓ１０８でＹＥＳ）以上の処理を繰り返し、
　　頁追加についての頁情報の修正と装置情報の入力と、頁削除についての頁情報の削除とを、頁編集要求のあったもの全てについて完了した場合には（Ｓ１０８でＮＯ）、装置情報の修正とモード情報の修正（Ｓ１０９）を実行するものであって、
　　装置情報の修正とモード情報の修正（Ｓ１０９）として、
　　ジョブ全体として画像形成する頁が２頁以上存在するかを確認し（Ｓ２０１）、２頁以上存在していなければ（Ｓ２０１でＮＯ）終了し、２頁以上存在していれば（Ｓ２０１でＹＥＳ）、現在の処理頁番号を示すパラメタであるＮを初期値として１に設定し（Ｓ２０２）、
　　ジョブテーブル中のＮ頁とＮ＋１頁との装置情報を参照し、装置情報が同一になっているか否かを確認し（ステップＳ２０３）、ジョブテーブル中のＮ頁とＮ＋１頁との装置情報が異なっていれば（Ｓ２０３でＮＯ）そのまま次の処理に進み、ジョブテーブル中のＮ頁とＮ＋１頁との装置情報が同一になっていれば（Ｓ２０３でＹＥＳ）、Ｎ頁もしくはＮ＋１頁のいずれか一方の装置情報を変更し（Ｓ２０４）、
　　画像形成出力設定がフェイスダウンであるかフェイスアップであるかを確認し（Ｓ２０５）、フェイスダウンである場合（Ｓ２０５でＹＥＳ）、Ｎ頁が装置１かつＮ＋１頁が装置２であるかを判断し（Ｓ２０６）、ここで、Ｎ頁が装置１であり、Ｎ＋１頁が装置２であれば（Ｓ２０６でＹＥＳ）、モード情報をモード１に設定し（Ｓ２０７）、また、Ｎ頁が装置２であり、Ｎ＋１頁が装置１であれば（Ｓ２０６でＮＯ）、モード情報をモード２に設定し（Ｓ２０８）、
　　一方、画像形成出力設定がフェイスダウンであるかフェイスアップであるかを確認し（Ｓ２０５）、フェイスアップである場合（Ｓ２０５でＮＯ）、Ｎ頁が装置１かつＮ＋１頁が装置２であるかを判断し（Ｓ２０９）、ここで、Ｎ頁が装置１であり、Ｎ＋１頁が装置２であれば（Ｓ２０９でＹＥＳ）、モード情報をモード４に設定し（Ｓ２１１）、また、Ｎ頁が装置２であり、Ｎ＋１頁が装置１であれば（Ｓ２０９でＮＯ）、モード情報をモード３に設定し（Ｓ２１０）、
　　以上のステップＳ２０２〜Ｓ２１１の処理を、次頁がある限り、現在の処理頁番号を示すパラメタＮに２を加えて（Ｓ２１３）２頁毎に処理を繰り返し、次頁がなくなれば（Ｓ２１２でＮＯ）、処理を終了し、
　　以上のようにして、装置情報の修正とモード情報の修正（Ｓ１０９）を終了すると、装置情報の修正（Ｓ２０４）に従って移動が必要になる画像データについて画像形成装置間で移動を行う（Ｓ１１０）ものであり、
　たとえば、Ａ，Ｂ，Ｃ，Ｄ，Ｅ，Ｆの６つの「画像データ」のそれぞれについて、１頁，２頁，３頁，４頁，５頁，６頁目に画像形成されることを示す「頁情報」と、装置１，装置２，装置１，装置２，装置１，装置２が画像形成を担当し画像データを保持することを示す「装置情報」と、モード１，モード１，モード１，モード１，モード１，モード１の画像形成モードで画像形成を実行することを示す「モード情報」が対応付けられて、全体で「ジョブデータ」を構成していて、画像形成出力設定がフェイスダウンの設定であり、画像データＸを２ページ目に追加する要求がなされ、画像データＸが画像形成装置３００から入力された場合には、
　制御部３０１は、
　　画像データＸをジョブテーブルの２頁目に追加し、（Ｓ１０４）、
　　画像データＸの装置情報は装置２と設定され（Ｓ１０５）、
　　画像データＢ〜Ｆについての頁情報の２頁〜６頁であった部分を、３頁〜７頁に修正し（Ｓ１０７）、
　　画像データＡと画像データＸの場合には、Ｎ頁が装置１であり、Ｎ＋１頁が装置２であり（Ｓ２０６でＹＥＳ）、モード情報をモード１に設定し（Ｓ２０７）、
　　画像データＢと画像データＣ、およびそれ以降の場合には、Ｎ頁が装置２であり、Ｎ＋１頁が装置１であり（Ｓ２０３でＮＯ、Ｓ２０５でＹＥＳ、Ｓ２０６でＮＯ）、モード情報をモード２に設定し（Ｓ２０８）、
　　データ移動（Ｓ１１０）は不要である、
　タンデム画像形成システム。」
６　対比
　本願発明と引用発明とを対比する。
（１）引用発明の「記録紙」は、本願発明の「用紙」に相当する。
　また、引用発明において、「画像形成装置１００」及び「画像形成装置３００」による「画像形成」は、「記録紙」になされるものであり、印刷に他ならないから、引用発明の「画像形成する」ことは、本願発明の「印刷する」ことに相当する。
　さらに、引用発明において、「画像形成装置１００」及び「画像形成装置３００」は「記録紙の表裏を分担して画像形成する」のであるから、それぞれ、記録紙の一方の面及び他方の面に画像形成するものといえる。
　したがって、引用発明の「記録紙の表裏の一方に画像形成する画像形成装置１００」は、本願発明の「用紙の一方の面に印刷する第１印刷エンジン」に相当する。
　また、引用発明の「後処理装置４００」は、「モード２」及び「モード４」において「記録紙を」「反転する」ものであるから、記録紙の表裏を反転して出力可能なものといえる。
　したがって、引用発明の「記録紙の表裏の他方に画像形成する画像形成装置３００」及び「画像形成装置１００，３００で画像形成された記録紙に各種後処理を施す後処理装置４００」であって「モード２」及び「モード４」において「記録紙を」「反転する」「後処理理装置４００」からなるものは、本願発明の「前記用紙の他方の面に印刷し、前記用紙の表裏を反転して出力可能な第２印刷エンジン」に相当する。
（２）引用発明の「画像形成装置３００」に「備え」られ「画像形成装置３００内の各部を制御すると共に画像形成システムとしてシステム全体を制御する制御部３０１」は、システム全体を制御することから画像形成装置１００をも制御するものといえ、本願発明の「前記第１印刷エンジン及び前記第２印刷エンジンを制御する制御装置」に相当する。
（３）引用発明の「タンデム画像形成システム」は、本願発明の「タンデム印刷システム」に相当する。
　
（４）引用発明の「操作者が操作表示部３０５から、頁追加あるいは頁削除といった頁編集の操作を行うと、制御部３０１」が「操作表示部３０５から頁編集の要求を受け付け（Ｓ１０１でＹＥＳ）、頁編集情報を取得し（Ｓ１０２）、頁編集情報の要求が頁追加要求であるか頁削除要求であるかを判断し（Ｓ１０３）、頁追加要求であれば（Ｓ１０３でＹＥＳ）、要求された画像データを要求された頁位置に追加し（Ｓ１０４）、頁追加要求により追加された頁の装置情報について、追加の要求がなされた画像形成装置の番号が付され（Ｓ１０５）、頁削除要求であれば（Ｓ１０３でＮＯ）、要求された頁の画像データを削除し（Ｓ１０６）、頁追加あるいは頁削除に連動して、頁情報を修正し（Ｓ１０７）、頁追加についての頁情報の修正と装置情報の入力、あるいは、頁削除についての頁情報の削除に関して、頁編集要求のあったもの全てについて完了しているかを調べ（Ｓ１０８）、編集残があれば（Ｓ１０８でＹＥＳ）以上の処理を繰り返し、頁追加についての頁情報の修正と装置情報の入力と、頁削除についての頁情報の削除とを、頁編集要求のあったもの全てについて完了」「（Ｓ１０８でＮＯ）」すること（以下「頁編集」という。）は、本願発明の「ページ編集」に相当する。
（５）引用発明における頁編集前において、「画像形成モード」が「前段の画像形成装置１００で記録紙に対して表面の画像を先に形成し、その記録紙を中処理装置２００で反転し、更に、後段の画像形成装置３００で記録紙に対して裏面の画像を形成する」「モード１」の場合に、「画像形成装置１００と画像形成装置３００とが」「それぞれの記憶部に記憶」している「担当頁の画像データ」は、それぞれ、表面である奇数番目の頁の画像データと、裏面である偶数番目の頁の画像データであることは明らかであり、これらは、それぞれ、本願発明の「奇数番目の第１種ページの」「データ」と、「偶数番目の第２種ページの」「データ」に相当する。
　したがって、本願発明の「印刷データに基づく初回印刷時には、前記制御装置は、受信した印刷データを解析してページ構成を取得すると共に前記印刷データをラスタライズして各ページのラスタデータを生成し、前記ラスタデータを奇数番目の第１種ページのラスタデータと偶数番目の第２種ページのラスタデータとに分類し、前記第１印刷エンジンに前記第１種ページのラスタデータを送信して印刷を指示し、前記第２印刷エンジンに前記第２種ページのラスタデータを送信して印刷を指示し、前記第１印刷エンジンは、受信した前記第１種ページのラスタデータに基づいて、用紙の一方の面に前記第１種ページを印刷すると共に、前記第１種ページのラスタデータを保持し、前記第２印刷エンジンは、受信した前記第２種ページのラスタデータに基づいて、前記用紙の他方の面に前記第２種ページを印刷すると共に、前記第２種ページのラスタデータを保持し」ていることと、引用発明における頁編集前において、「画像形成モード」が「前段の画像形成装置１００で記録紙に対して表面の画像を先に形成し、その記録紙を中処理装置２００で反転し、更に、後段の画像形成装置３００で記録紙に対して裏面の画像を形成する」「モード１」の場合、「画像形成装置１００と画像形成装置３００とが担当頁の画像データをそれぞれの記憶部に記憶」していることとは、本願発明が初回印刷後にページ編集を行うことが特定されていることからすれば、両者は、「ページ編集前には、前記第１印刷エンジンは、奇数番目の第１種ページの」「データを保持し、前記第２印刷エンジンは、偶数番目の第２種ページの」「データを保持し」ている点で共通する。
（６）引用発明の「画像形成システム」は、「画像データ」「に基づいて画像形成を実行する画像形成部１５０，３５０」「を備え」る「画像形成装置１００，３００」を備えるものであることから、頁編集後に画像データに基づく画像形成を行うことは明らかである。
　したがって、本願発明の「ページ編集後の前記印刷データに基づく再印刷時」と、引用発明から自明な構成である頁編集後の画像形成時とは、「ページ編集後の印刷時」の点で共通する。
（７）引用発明において、「画像形成装置１００」により「画像形成」された「記録紙」の「一方」の面は、本願発明の「第１印刷エンジン」により「印刷」された「用紙の一方の面」に相当し、引用発明の「画像形成装置３００」により「画像形成」された「記録紙」の「他方」の面は、本願発明の「第２印刷エンジンにより」「印刷」された「用紙の他方の面」に相当する。
　また、引用発明において、「現在の処理頁番号を示すパラメタであるＮ」は、「初期値として１に設定」され、「次頁がある限り」「２」が「加え」られて「２頁毎に処理」が「繰り返」され、「次頁がなくなれば」「処理」が「終了」されるものであるから、「Ｎ頁」は奇数番目の頁であり、「Ｎ＋１頁」は偶数番目の頁であり、これらは、それぞれ、本願発明の「奇数の第１種のページ」及び「偶数の第２種のページ」に相当する。
　そして、引用発明において、「画像形成モード」が、「前段の画像形成装置１００で記録紙に対して表面の画像を先に形成し、その記録紙を中処理装置２００で反転し、更に、後段の画像形成装置３００で記録紙に対して裏面の画像を形成する」「モード１」の場合に、「制御部３０１」が、頁編集後に、「Ｎ頁が装置１かつＮ＋１頁が装置２であるかを判断し（Ｓ２０６）」、「Ｎ頁が装置２であり、Ｎ＋１頁が装置１であれば（Ｓ２０６でＮＯ）、モード情報をモード２に設定」「（Ｓ２０８）」することは、制御部３０１が、装置１により画像形成される面が頁編集前の頁構成における偶数番目のＮ＋１頁（裏面）になる及び／又は装置２により画像形成される面が頁編集前の頁構成における奇数番目のＮ頁（表面）になる記録紙を、後処理装置４００で反転する対象の記録紙と判定していることに他ならず、上記「３」の「ア」の解釈に従えば、本願発明の「ページ編集前のページ構成と前記ページ編集後のページ構成とを比較して、前記用紙の一方の面が前記第２種ページ及び／又は前記用紙の他方の面が前記第１種ページになる反転排紙対象の用紙を判定」することに相当するといえる。
　このことは、引用文献１の請求項４並びに段落【００１９】及び【００２６】に、各画像形成装置における表裏の担当を変更する場合には、表裏の画像形成がされた後の記録紙について、反転装置の使用の有無を逆に切り替えるよう制御することが記載されていることからも、裏付けられる。
　したがって、本願発明の「前記制御装置」が「前記初回印刷時のページ構成と前記ページ編集後のページ構成とを比較して、前記用紙の一方の面が前記第２種ページ及び／又は前記用紙の他方の面が前記第１種ページになる反転排紙対象の用紙を判定」することと、引用発明の頁編集前の「画像形成モード」が「モード１」の場合、「制御部３０１」が、「初期値として１に設定し」「次頁がある限り」「２を加えて」「２頁毎に処理を繰り返し、次頁がなくなれば」「処理を終了」する「現在の処理頁番号を示すパラメタであるＮ」を用いて、「Ｎ頁が装置１かつＮ＋１頁が装置２であるかを判断し（Ｓ２０６）、ここで、Ｎ頁が装置１であり、Ｎ＋１頁が装置２であれば（Ｓ２０６でＹＥＳ）、モード情報をモード１に設定し（Ｓ２０７）、また、Ｎ頁が装置２であり、Ｎ＋１頁が装置１であれば（Ｓ２０６でＮＯ）、モード情報をモード２に設定」「（Ｓ２０８）」することとは、「ページ編集前のページ構成と前記ページ編集後のページ構成とを比較して、前記用紙の一方の面が前記第２種ページ及び／又は前記用紙の他方の面が前記第１種ページになる反転排紙対象の用紙を判定」する点で共通する。
（８）引用発明において、上記（６）で述べたように頁編集後に画像データに基づく画像形成を実行することは明らかであることに鑑みれば、頁編集前の「画像系形成モード」が「モード１」の場合に、頁編集後に、「制御部３０１」が、「モード１に設定し」た「Ｎ頁」と「Ｎ＋１頁」からなる「記録紙」に対しては「モード１」で「画像形成」し、「モード２に設定し」た「Ｎ頁」と「Ｎ＋１頁」からなる「記録紙」に対しては「モード２」で「画像形成」するように、「画像形成装置１００」に「画像形成」を指示し、「画像形成装置３００」に「画像形成」を指示すると共に「後処理装置４００」に「モード２に設定」された「記録紙」の「反転」を指示し、「画像形成装置１００」が、頁編集前に「記憶」した「Ｎ頁」の「画像データ」に基づいて、「記録紙」に「Ｎ頁」の「画像」を「形成」し、「画像形成装置３００」が、頁編集前に「記憶」した「Ｎ＋１頁」の「画像データ」に基づいて、「記録紙」に「Ｎ＋１頁」の「画像」を「形成」すると共に「後処理装置４００」が「モード２に設定」された「記録紙」を「反転」して「出力」することは、明らかである。
　したがって、本願発明の「前記制御装置」が、「前記第１印刷エンジンに再印刷を指示し、前記第２印刷エンジンに再印刷を指示すると共に前記反転排紙対象の用紙の表裏反転を指示し、前記第１印刷エンジンは、前記初回印刷時に保持した前記第１種ページのラスタデータに基づいて、用紙の一方の面に前記第１種ページを印刷し、前記第２印刷エンジンは、前記初回印刷時に保持した前記第２種ページのラスタデータに基づいて、前記用紙の他方の面に前記第２種ページを印刷すると共に、前記反転排紙対象の用紙は、用紙の表裏を反転して排紙する」ことと、これら引用発明から自明の構成とは、「前記制御装置」が、「前記第１印刷エンジンに」「印刷を指示し、前記第２印刷エンジンに」「印刷を指示すると共に前記反転排紙対象の用紙の表裏反転を指示し、前記第１印刷エンジンは」、ページ編集前「に保持した前記第１種ページの」「データに基づいて、用紙の一方の面に前記第１種ページを印刷し、前記第２印刷エンジンは」、ページ編集前「に保持した前記第２種ページの」「データに基づいて、前記用紙の他方の面に前記第２種ページを印刷すると共に、前記反転排紙対象の用紙は、用紙の表裏を反転して排紙する」点で共通する。
　してみると、本願発明と引用発明とは、
「用紙の一方の面に印刷する第１印刷エンジンと、前記用紙の他方の面に印刷し、前記用紙の表裏を反転して出力可能な第２印刷エンジンと、前記第１印刷エンジン及び前記第２印刷エンジンを制御する制御装置と、を含むタンデム印刷システムであって、
　ページ編集前には、
　前記第１印刷エンジンは、奇数番目の第１種ページのデータを保持し、
　前記第２印刷エンジンは、偶数番目の第２種ページのデータを保持し、
　ページ編集後の印刷時には、
　前記制御装置は、前記ページ編集前のページ構成と前記ページ編集後のページ構成とを比較して、前記用紙の一方の面が前記第２種ページ及び／又は前記用紙の他方の面が前記第１種ページになる反転排紙対象の用紙を判定し、前記第１印刷エンジンに印刷を指示し、前記第２印刷エンジンに印刷を指示すると共に前記反転排紙対象の用紙の表裏反転を指示し、
　前記第１印刷エンジンは、前記ページ編集前に保持した前記第１種ページのデータに基づいて、用紙の一方の面に前記第１種ページを印刷し、
　前記第２印刷エンジンは、前記ページ編集前に保持した前記第２種ページのデータに基づいて、前記用紙の他方の面に前記第２種ページを印刷すると共に、前記反転排紙対象の用紙は、用紙の表裏を反転して排紙する、
　タンデム印刷システム。」
である点で一致し、次の点で相違する。
　
（相違点１）
　本願発明は、「ページ編集」前に「印刷」を行い、「ページ編集」後の印刷は「再印刷」であって、「ページ編集後のページ構成」と「比較」される対象が「初回印刷時のページ構成」であるのに対し、引用発明は、頁編集後に画像形成を行うものの、頁編集前に画像形成を行うか否か不明であって、頁編集後の頁構成と比較される頁編集前の頁構成が、初回の画像形成時の頁構成か否か不明な点。
（相違点２）
　本願発明は、「前記制御装置は、受信した印刷データを解析してページ構成を取得すると共に前記印刷データをラスタライズして各ページのラスタデータを生成し、前記ラスタデータを奇数番目の第１種ページのラスタデータと偶数番目の第２種ページのラスタデータとに分類し、前記第１印刷エンジンに前記第１種ページのラスタデータを送信して印刷を指示し、前記第２印刷エンジンに前記第２種ページのラスタデータを送信して印刷を指示し、前記第１印刷エンジンは、受信した前記第１種ページのラスタデータに基づいて、用紙の一方の面に前記第１種ページを印刷すると共に、前記第１種ページのラスタデータを保持し、前記第２印刷エンジンは、受信した前記第２種ページのラスタデータに基づいて、前記用紙の他方の面に前記第２種ページを印刷すると共に、前記第２種ページのラスタデータを保持」するものであるのに対し、引用発明は、「記録紙の表裏の一方に画像形成する」「画像形成装置１００」と「記録紙の表裏の他方に画像形成する」「画像形成装置３００」のそれぞれの記憶部に、どのようにして担当頁の画像データを記憶するのかについて、特定されておらず、また、担当頁の画像データがどのような形式のデータであるのかについても、特定されていない点。
７　判断
（相違点１について）
　引用発明においては、頁編集前に「記録紙の表裏の一方に画像形成する画像形成装置１００」と「記録紙の表裏の他方に画像形成する画像形成装置３００」「とが担当頁の画像データをそれぞれの記憶部に記憶し」ているのであるから、技術的にみて、初回の画像形成時に「画像形成装置１００」と「画像形成装置３００」とに「担当頁の画像データをそれぞれの記憶部に記憶」させて画像形成を行うものであることは当業者に明らかであり、引用発明においても、頁編集前に画像形成を行うものであり、頁編集後の頁構成と比較される頁編集前の頁構成が、初回の画像形成時頁構成であるものといえ、相違点１は、実質的な相違点ではない。
　仮に、引用発明が、初回の画像形成時に「画像形成装置１００」と「画像形成装置３００」とに「担当頁の画像データをそれぞれの記憶部に記憶」させて画像形成を行うものであるとまではいえない場合でも、タンデム画像形成システムにおいて画像形成時に画像データを各画像形成装置の記憶部に記憶させて画像形成を行うことが技術常識であることに鑑みれば、引用発明において相違点１に係る本願発明の構成とすることは当業者が適宜なし得た設計的事項にすぎない。
（相違点２について）
　タンデム型の画像形成装置において、制御部が受信した印刷データを解析して頁構成を取得すると共に印刷データをラスタライズして生成して、表裏を分担して各画像形成装置にラスタデータを送信し、受信したラスタデータに基づいて各画像形成装置が表裏を分担した画像を形成することは、例えば、
ア　特開２００９−５８６２３号公報（下線は当審で付した。）
「【発明が解決しようとする課題】
【０００６】
　本発明は、プリンタが２台連結されたプリンタシステムにおいて、各プリンタにおけるトナー消費量が均一化されていないためにトナーの補給時期が異なり、オペレータの作業の効率が低下するという課題を解決するものである。
・・・
【発明を実施するための最良の形態】
【０００９】
　図１は、
２台のプリンタが連結されたプリンタシステム
上位装置
からの印刷ジョブを第１プリンタ３および第２プリンタ６に送信するプリンタ制御部２
給紙部１０にセットされた用紙は、第１プリンタ３から用紙搬送パス１９、第２プリンタ６へと、各装置内部の用紙搬送経路を通過したのち、排紙部１１に排出される
・・・
【００１１】
　プリンタ制御部２は、ネットワーク通信部１２と、ラスタ展開部１３と、ジョブ消費トナー算出部１４と、操作部１６と、トナー残量管理部１７と、ページ管理部１８とからなる。
以下、プリンタ制御部２の各部を説明する
【００１２】
　ネットワーク通信部１２は、ネットワーク上の上位装置（図示せず）との通信やデータ転送を実行する。ラスタ展開部１３は、
上位装置から送信されてきた印刷ジョブの印刷データをラスタイメージに展開する
【００１３】
　ジョブ消費トナー算出部１４は、ラスタ展開部１３で
ラスタ展開したイメージデータを
任意のページ単位で区切る
【００１５】
　ページ管理部１８は、
ラスタ展開した印刷データの奇数ページと偶数ページを、それぞれプリンタ３またはプリンタ６に振り分ける
イ　特開２０１３−１４６８９９号公報（下線は当審で付した。）
「【発明が解決しようとする課題】
【０００７】
　しかし、上記従来技術においては、画像形成装置単位での消耗度を均等化することはできるが、
直列のタンデム型画像形成装置
【０００８】
　本発明は、このような問題を解決するためになされたものであり、印刷ジョブに含まれる画像データのページ数が奇数の場合に、画像データごとまたは所定の印刷部数ごとに画像データの最終ページが印刷される印刷エンジンを切り換える。これにより、親機と子機とで印刷される印刷部数を均等化し、親機と子機との消耗度に差が生じることを防止する。
・・・
【００４０】
　ユーザーは、クライアントＰＣ２ａ、２ｂ、２ｃにおいてプリンタードライバーにより作成した
印刷ジョブをクライアントＰＣ２ａ、２ｂ、２ｃから
タンデム型画像形成装置３に送信し、タンデム型画像形成装置３から印刷ジョブに基づく印刷物を出力できる
・・・
【００６７】
　タンデム型画像形成装置３において、ＣＰＵ３１は、クライアントＰＣ２ａ、２ｂ、２ｃから受信した印刷ジョブを解析し、印刷ジョブに含まれる設定情報をタンデム型画像形成装置３における印刷設定として反映させる（Ｓ４０１）。
【００６８】
　
画像制御部３８は、印刷ジョブに含まれる画像データについて画像形成処理を行う
すなわち、画像制御部３８は、画像データのラスタライズ処理を行う
・・・
【００７１】
　ＣＰＵ３１は、設定情報に均等化設定が含まれていないと判断した場合は（Ｓ５０１：ＮＯ）、ステップＳ４０２において
ラスタライズ処理がされた画像データのページについて
印刷処理を行う
ページが奇数ページの場合は親機である第１印刷部４０で印刷し、偶数ページの場合は子機である第２印刷部４１で印刷する
【００７２】
　ＣＰＵ３１は、設定情報に均等化設定が含まれていると判断した場合は（Ｓ５０１：ＹＥＳ）、現在の印刷処理に係るページが最終ぺージかつ奇数ページかどうかを判断する（Ｓ５０２）。現在の印刷処理に係るページが最終ページにも奇数ページにも該当しない場合は（Ｓ５０２：ＮＯ）、通常の印刷処理を行う（Ｓ５０８）。
【００７３】
　ＣＰＵ３１は、現在の印刷処理に係るページが最終ぺージかつ奇数ページである場合は（Ｓ５０２：ＹＥＳ）、前回印刷処理を行った画像データの最終ページを最後に印刷した印刷エンジンの情報をＨＤＤ３４から取得する（Ｓ５０３）。ここで、前回印刷処理を行った画像データの最終ページを最後に印刷した印刷エンジンの情報とは、前回印刷処理を行った画像データの最終ページを最後に印刷した、親機または子機のいずれかの印刷エンジンを特定する情報である。例えば、当該印刷エンジンの情報は、印刷エンジンのＭＡＣ（Ｍｅｄｉａ　Ａｃｃｅｓｓ　Ｃｏｎｔｒｏｌ）アドレスとすることができる。
【００７５】
　ＣＰＵ３１は、ＨＤＤ３４に記憶された情報に基づいて、前回印刷処理を行った画像データの最終ページを最後に印刷した印刷エンジンが親機であるかどうかを判断する（Ｓ５０４）。そして、前回印刷処理を行った画像データの最終ページを最後に印刷した印刷エンジンが親機であると判断した場合は（Ｓ５０４：ＹＥＳ）、現在の印刷処理に係る
ページを子機で印刷する
ページを親機で印刷する
に記載されているように周知技術であり、引用発明においてこれを採用することは、画像形成システムを具体化するために当業者が適宜なし得た設計的事項にすぎない。
（効果について）
　本願発明の奏する作用効果は、引用発明及び周知技術から予測される範囲内のものにすぎず、格別顕著なものということはできない。
（請求人の主張について）
　請求人は、審判請求書において、
ア　引用文献に記載された発明は、画像形成する頁の追加等によりＮ頁とＮ＋１頁が同一の装置で画像形成されるかどうかを判断し、Ｎ頁とＮ＋１頁が同一の装置で画像形成されることになる場合、ジョブテーブルにおいていずれか一方の装置の登録を変更するが、本願発明の構成である（１）用紙の一方の面が第２種ページ及び／又は用紙の他方の面が第１種ページになる反転排紙対象の用紙を判定する、は引用文献には記載も示唆もされていない、すなわち、引用文献１に記載された発明は、用紙が反転排紙対象かどうか判定していない、
イ　引用文献に記載された発明は、画像形成出力設定がフェイスダウンであるかフェイスアップであるか確認し、画像形成出力設定通りの用紙の向きになるように用紙の反転／非反転に関するモードを設定するが、本願発明の構成である、（２）第１印刷エンジンは、初回印刷時に保持した第１種ページのラスタデータに基づいて、用紙の一方の面に第１種ページを印刷し、第２印刷エンジンは、初回印刷時に保持した第２種ページのラスタデータに基づいて、用紙の他方の面に第２種ページを印刷すると共に、反転排紙対象の用紙は、用紙の表裏を反転して排紙する、という構成は引用文献には記載も示唆もされていない、
ウ　本願発明は、初回印刷時とページ編集後のページ構成を比較することで反転排紙対象の用紙を判定し、反転排紙対象と判定された用紙については第２印刷エンジンで反転して排紙し、従って、引用文献に記載の発明のように、装置情報およびモード情報が登録されるジョブテーブルを必要としない、
エ　本願発明は、ページ編集により表面／裏面が逆転した場合でも、再度のラスタライズ処理や、データ転送を行うことなく、簡単な構成で迅速に再印刷をすることができるという格別な効果を奏する
旨主張する。
　しかしながら、請求人の上記アの主張については、上記「６（７）」で検討したように、引用発明において、「画像形成モード」が、「前段の画像形成装置１００で記録紙に対して表面の画像を先に形成し、その記録紙を中処理装置２００で反転し、更に、後段の画像形成装置３００で記録紙に対して裏面の画像を形成する」「モード１」の場合に、「制御部３０１」が、頁編集後に、「Ｎ頁が装置１かつＮ＋１頁が装置２であるかを判断し（Ｓ２０６）」、「Ｎ頁が装置２であり、Ｎ＋１頁が装置１であれば（Ｓ２０６でＮＯ）、モード情報をモード２に設定」「（Ｓ２０８）」することは、制御部３０１が、装置１により画像形成される面が頁編集前の頁構成における偶数番目のＮ＋１頁（裏面）になる及び／又は装置２により画像形成される面が頁編集前の頁構成における奇数番目のＮ頁（表面）になる記録紙を、後処理装置４００で反転する対象の記録紙と判定していることに他ならず、本願発明の「ページ編集前のページ構成と前記ページ編集後のページ構成とを比較して、前記用紙の一方の面が前記第２種ページ及び／又は前記用紙の他方の面が前記第１種ページになる反転排紙対象の用紙を判定」することに相当するといえるから、請求人の主張は採用できない。
　また、請求人の上記イの主張については、上記「６（８）」で検討したように、引用発明において、頁編集前の「画像系形成モード」が「モード１」の場合に、頁編集後に、「画像形成装置１００」が、頁編集前に「記憶」した「Ｎ頁」の「画像データ」に基づいて、「記録紙」に「Ｎ頁」の「画像」を「形成」し、「画像形成装置３００」が、頁編集前に「記憶」した「Ｎ＋１頁」の「画像データ」に基づいて、「記録紙」に「Ｎ＋１頁」の「画像」を「形成」すると共に「後処理装置４００」が「モード２に設定」された「記録紙」を「反転」して「出力」することは明らかであることから、本願発明の「前記第１印刷エンジンは、前記初回印刷時に保持した前記第１種ページのラスタデータに基づいて、用紙の一方の面に前記第１種ページを印刷し、前記第２印刷エンジンは、前記初回印刷時に保持した前記第２種ページのラスタデータに基づいて、前記用紙の他方の面に前記第２種ページを印刷すると共に、前記反転排紙対象の用紙は、用紙の表裏を反転して排紙する」ことと、これら引用発明から自明の構成とは、「前記第１印刷エンジンは」、ページ編集前「に保持した前記第１種ページの」「データに基づいて、用紙の一方の面に前記第１種ページを印刷し、前記第２印刷エンジンは」、ページ編集前「に保持した前記第２種ページの」「データに基づいて、前記用紙の他方の面に前記第２種ページを印刷すると共に、前記反転排紙対象の用紙は、用紙の表裏を反転して排紙する」点で共通し、また、上記（相違点２について）で検討したように、画像形成装置に記憶されるデータをラスタデータとすることは周知技術であり引用発明においてこれを採用することは画像形成システムを具体化するために当業者が適宜なし得た設計的事項にすぎず、さらに上記（相違点１について）で検討したように、引用発明は、頁編集後の頁構成と比較される対象を初回の画像形成時の頁構成とするものであるといえるし、仮に、引用発明が、頁編集後の頁構成と比較される対象を初回の画像形成時の頁構成とするものであるといえない場合でも、頁編集後の頁構成と比較される対象を初回の画像形成時の頁構成とすることは、当業者が適宜なし得た設計的事項にすぎないから、請求人の主張は採用できない。
　さらに、請求人の上記ウの主張については、本願発明において、ジョブテーブルを必要としないことは請求項１に特定されていないのであるから、請求人の主張は、請求項１の記載に基づくものではない。
　なお、仮に、請求項１の記載から、ジョブテーブルを必要としないことが自明な事項か否か検討すると、上記「３」の「ア」の解釈に従えば、請求項１の「前記初回印刷時のページ構成と前記ページ編集後のページ構成とを比較して、前記用紙の一方の面が前記第２種ページ及び／又は前記用紙の他方の面が前記第１種ページになる反転排紙対象の用紙を判定」するとは、「ページ編集後のページ構成」において、「用紙の一方の面が」初回印刷時のページ構成における「偶数番目の」「第２種ページ」になる「及び／又は」「用紙の他方の面が」初回印刷時のページ構成における「奇数番目の」「第１種ページになる」用紙を、「反転排紙対象の用紙」と「判定」することを意味するから、本願発明は、「ページ編集後のページ構成」において、「用紙の一方の面が」初回印刷時のページ構成における「奇数番目の第１種ページ」になる「及び／又は」「用紙の他方の面が」初回印刷時のページ構成における「偶数番目の第２種ページ」になる反転排紙対象でない用紙か、「用紙の一方の面が」初回印刷時のページ構成における「偶数番目の」「第２種ページ」になる「及び／又は」「用紙の他方の面が」初回印刷時のページ構成における「奇数番目の」「第１種ページになる反転排紙対象の用紙」かの情報を必要とするものであることは明らかである。そして、これらの情報は、各用紙について、奇数番目の第１種ページと偶数番目の第２種ページとがいずれの印刷エンジンに対応するか及び印刷後に反転排紙をするか否かの情報ということができ、引用発明のＮ頁とＮ＋１頁とがいずれの装置に対応するか及び画像形成後に反転を必要とするモード２か否かを示すジョブテーブルの情報と異なるものではない。したがって、請求項１の記載から、引用発明のジョブテーブルの情報に相当するような情報を必要とすることは自明な事項といえるから、請求人の主張は採用できない。
　そのうえ、請求人の上記エの主張については、引用発明においても、「たとえば、Ａ，Ｂ，Ｃ，Ｄ，Ｅ，Ｆの６つの「画像データ」のそれぞれについて、１頁，２頁，３頁，４頁，５頁，６頁目に画像形成されることを示す「頁情報」と、装置１，装置２，装置１，装置２，装置１，装置２が画像形成を担当し画像データを保持することを示す「装置情報」と、モード１，モード１，モード１，モード１，モード１，モード１の画像形成モードで画像形成を実行することを示す「モード情報」が対応付けられて、全体で「ジョブデータ」を構成していて、画像データＸを２ページ目に追加する要求がなされ、画像データＸが画像形成装置３００から入力された場合には」、「制御部３０１は」、「画像データＡと画像データＸの場合には、Ｎ頁が装置１であり、Ｎ＋１頁が装置２であり（Ｓ２０３でＮＯ、Ｓ２０５でＹＥＳ、Ｓ２０６でＹＥＳ）、モード情報をモード１に設定し（Ｓ２０７）、画像データＢと画像データＣ、およびそれ以降の場合には、Ｎ頁が装置２であり、Ｎ＋１頁が装置１であり（Ｓ２０３でＮＯ、Ｓ２０５でＹＥＳ、Ｓ２０６でＮＯ）、モード情報をモード２に設定し（Ｓ２０８）、データ移動は不要である（Ｓ１１０）」ことから、頁編集により表面／裏面が逆転した場合でも、再度のラスタライズ処理や、データ転送を行う必要がないことは明らかであり、本願発明と異なるものではないから、請求人の主張は採用できない。
（まとめ）
　したがって、本願発明は、引用発明及び周知慣用手段に基づいて当業者が容易に発明をすることができたものであり、特許法第２９条第２項の規定により特許を受けることができない。
８　むすび
　以上のとおり、本願発明は、特許法第２９条第２項の規定により特許を受けることができない。
　したがって、その余の請求項については検討するまでもなく、本願は、拒絶されるべきものである。
　よって、結論のとおり審決する。